(57)【特許請求の範囲】
【請求項１】
枠体に左右開閉可能に嵌め込んだ網戸の落下を防止するようにした網戸落下防止装置において、網戸上部に止着可能な落下防止片を備え、落下防止片に枠見込方向幅の小さい首部とその首部の上部に枠見込方向幅の大きい係合部を設け、枠体の上枠に上枠の室外側片との間に落下防止片の首部の枠見込方向幅より大きくて落下防止片の係合部の枠見込方向幅より小さい幅の移動間隙を形成すると共にその上方に落下防止片の係合部を収容可能な係合空間を形成する落下防止枠材を設け、落下防止枠材に落下防止片の網戸開閉方向長さより長い着脱口を設け、係合部を着脱口から係合空間に係合させた落下防止片を網戸上部に網戸移動領域において着脱口と対向しないように取着し、網戸を落下防止片に取着した状態で落下防止片の係合部が落下防止枠材から外れないようにしたことを特徴とする網戸落下防止装置。
【請求項２】
落下防止片に上下方向の長孔を設け、その長孔に取り付ける止めねじの頭部と網戸の間隔が落下防止片の厚みより大きくなるようにねじ部の螺合量を規制するストッパ部材を備え、網戸上部を落下防止片に上下動可能に止着したことを特徴とする請求項１記載の網戸落下防止装置。
【請求項３】
落下防止枠材を、上枠の室外側片と外障子案内片との間に上下方向に位置される垂下板部と、垂下板部の上端から上枠の上壁下面に沿うように外障子案内片側へ向いている取付板部と、垂下板部の下端から上枠の室外側片側へ向いている係止板部を供えた長尺部材によって構成し、落下防止枠材の長さを上枠の長さより短くして落下防止枠材の端側に形成される枠材欠如部によって着脱口を構成したことを特徴とする請求項１または２項に記載の網戸落下防止装置。
【発明の詳細な説明】
【技術分野】
【０００１】
本発明は、網戸が枠体から外れても落下しないようにした網戸落下防止装置に関する。
【背景技術】
【０００２】
従来、特許文献１の図１０から図１２に記載のように、網戸が枠体から外れないようにするために、網戸の上桟にねじにより取り付けられた外れ止めの先端部を枠体の上枠のレールに接近させることにより、網戸が上下移動できる距離を短く制限することが知られている。ところが、特許文献１に記載の網戸では、外れ止めによって網戸の上方への移動を規制しているだけなので、極度の暴風や不注意等により網戸に限度以上の荷重が作用して網戸が撓んだ場合に、網戸が枠体から外れて落下するという問題があった。
そこで、特許文献１の図１から図９に記載のように、上枠の室外側に上枠に沿って四角筒状のレールを上枠の全長に渡って取り付け、そのレールの下壁の幅方向中央部にレールに沿って直線状に延びる開口部を形成している。また、網戸の左右の縦枠の上端部に夫々係合部材を取り付け、それらの係合部材の上端部にレールの開口部の幅よりも大きい幅の拡大部が形成され、それらの拡大部がレールに係合され、網戸が枠体から完全に外れても、係合部材の拡大部がレールに係合し、レールに網戸が吊り下がることによって、網戸が落下しないようにした開口部装置が提案されている。レールの開口部には、その幅が広くされた切欠部が２箇所形成され、係合部材に形成された拡大部の幅は、切欠部の幅よりも少し狭く設定されている。両係合部材間の間隔は、レールの両切欠部間の間隔と同じに設定されている。網戸を枠体に取り付けるには、まず、網戸の各係合部材をレールの各切欠部の位置に合わせた後、網戸を持ち上げて、各係合部材の拡大部をこの切欠部を通してレール内に挿入する。次いで、さらに網戸を持ち上げて、網戸の上枠の溝部を枠体の上枠の上レールの下端部に嵌め込んだ後、網戸を下ろして、網戸の下枠の戸車を枠体の下枠の下レールに載せる。その後、網戸を左側または右側に移動させる。
【０００３】
【特許文献１】特開２００５−２１３９０１号公報
【発明の開示】
【発明が解決しようとする課題】
【０００４】
特許文献１の図１から図９に記載のものでは、網戸を開けたり閉めたりしているうちに、網戸を枠体に取り付けた位置に網戸を置いた状態にしておく場合も考えられる。そのため、係合部材が切欠部に位置する箇所に網戸が置かれている状態で、極度の暴風や不注意等により網戸に限度以上の荷重が枠見込方向に作用して網戸が撓んだ場合に、網戸が枠体から外れて落下するという問題点がある。また、係合部材が切欠部に位置する箇所に網戸が置かれていないときでも、網戸が枠体から外れた状態にあることを知らないで、網戸を枠体から外れた状態のまま左右方向に移動した場合に、係合部材が切欠部から外れて網戸が落下する問題点がある。また、網戸の縦枠の上端部に取り付ける係合部材が２個必要なので、２個の係合部材を互いに傾けて取り付けると、網戸を枠体に取り付けるときに取り付けにくくなり、取り付けた後に左右開閉移動するときに係合部材と落下防止レール間の摩擦が大きくなって動きが悪くなるという問題点もある。また、落下防止レールが上枠の室外側に取り付けられているため、見栄えが悪くなるという問題点もある。
そこで本発明の課題は、上記問題点を解決するもので、網戸の落下を確実に防ぐようにした網戸落下防止装置を提供することを目的とする。
【課題を解決するための手段】
【０００５】
本発明は、枠体に左右開閉可能に嵌め込んだ網戸の落下を防止するようにした網戸落下防止装置において、網戸上部に止着可能な落下防止片を備え、落下防止片に枠見込方向幅の小さい首部とその首部の上部に枠見込方向幅の大きい係合部を設け、枠体の上枠に上枠の室外側片との間に落下防止片の首部の枠見込方向幅より大きくて落下防止片の係合部の枠見込方向幅より小さい幅の移動間隙を形成すると共にその上方に落下防止片の係合部を収容可能な係合空間を形成する落下防止枠材を設け、落下防止枠材に落下防止片の網戸開閉方向長さより長い着脱口を設け、係合部を着脱口から係合空間に係合させた落下防止片を網戸上部に網戸移動領域において着脱口と対向しないように取着し、網戸を落下防止片に取着した状態で落下防止片の係合部が落下防止枠材から外れないようにしたことを特徴とする（請求項１）。
また、本発明は、落下防止片に上下方向の長孔を設け、その長孔に取り付ける止めねじの頭部と網戸の間隔が落下防止片の厚みより大きくなるようにねじ部とねじ孔の螺合量を規制するストッパ部材を備え、網戸上部を落下防止片に上下動可能に止着したことを特徴とする（請求項２）。
また、本発明は、落下防止枠材を、上枠の室外側片と外障子案内片との間に上下方向に位置される垂下板部と、垂下板部の上端から上枠の上壁下面に沿うように外障子案内片側へ向いている取付板部と、垂下板部の下端から上枠の室外側片側へ向いている係止板部を供えた長尺部材によって構成し、落下防止枠材の長さを上枠の長さより短くして落下防止枠材の端側に形成される枠材欠如部によって着脱口を構成したことを特徴とする（請求項３）。
【発明の効果】
【０００６】
本発明における請求項１に記載の発明によれば、網戸上部に止着可能な落下防止片を備え、落下防止片に枠見込方向幅の小さい首部とその首部の上部に枠見込方向幅の大きい係合部を設け、枠体の上枠に上枠の室外側片との間に落下防止片の首部の枠見込方向幅より大きくて落下防止片の係合部の枠見込方向幅より小さい幅の移動間隙を形成すると共にその上方に落下防止片の係合部を収容可能な係合空間を形成する落下防止枠材を設け、落下防止枠材に落下防止片の網戸開閉方向長さより長い着脱口を設け、係合部を着脱口から係合空間に係合させた落下防止片を網戸上部に網戸移動領域において着脱口と対向しないように取着し、網戸を落下防止片に取着した状態で落下防止片の係合部が落下防止枠材から外れないようにしたので、網戸が枠体から外れた場合に、網戸が左右開閉方向のどの位置にあっても、落下防止片が着脱口と対向しないので落下防止片が着脱口から落ちることが無く、落下防止片の係合部が落下防止枠材から外れない状態を保つことができ、網戸が室外側に落下するのを確実に防止できる効果がある。
【０００７】
請求項２に記載の発明によれば、落下防止片に上下方向の長孔を設け、その長孔に取り付ける止めねじの頭部と網戸の間隔が落下防止片の厚みより大きくなるようにねじ部とねじ孔の螺合量を規制するストッパ部材を備えたので、ストッパ部材に止めねじのねじ部の先端が当たることによって、網戸に知識の無い人が枠体に網戸を嵌め込むときでも止めねじを締めすぎる事が無く、網戸上部を落下防止片に上下動可能に簡単に止着できる効果がある。また、上下のレールが曲がっている場合や、網戸を左右開閉させるときに人の力で浮き上がる場合にも、網戸をスムーズに開閉移動できる効果がある。また、落下防止片に上下方向の長孔を設けたので、網戸を枠体に取り付けるときに網戸の傾きが吸収されて落下防止枠材と落下防止片の間の摩擦が少なくなる効果がある。
【０００８】
請求項３に記載の発明によれば、落下防止枠材を、上枠の室外側片と外障子案内片との間に上下方向に位置される垂下板部と、垂下板部の上端から上枠の上壁下面に沿うように外障子案内片側へ向いている取付板部と、垂下板部の下端から上枠の室外側片側へ向いている係止板部を供えた長尺部材によって構成し、落下防止枠材の長さを上枠の長さより短くして落下防止枠材の端側に形成される枠材欠如部によって着脱口を構成したので、落下防止枠材を枠体の上枠に下側から容易に取り付けることができ、既設のサッシにも容易に実施できる効果がある。また、落下防止枠材を、上枠の室外側片と外障子案内片との間に取り付けているので、落下防止枠材やその取付部分を室外側から完全に見えないようにでき、サッシ全体の見栄えを良くできる効果がある。
【発明を実施するための最良の形態】
【０００９】
実施の形態について図面を参照して説明する。図１に示す引違いサッシ１は、上枠２と下枠３と左右の竪枠４、５を枠組みして構成された枠体６に、網戸７と内障子４７と外障子４６が横引き可能に嵌め込まれて構成されている。網戸７は、上框８、下框９および左右の竪框１０、１１とからなる方形状の網戸框１２と、この網戸框１２に張り付けられた網１３とを備えている。網戸７は、網戸７の上部に設けられた嵌合溝７ａと網戸７の下部に設けられた戸車７ｂが上枠２の室外側片１４と下枠３のレール１５に夫々嵌合されてレール１５に沿って開閉可能に設けられている。
【００１０】
引違いサッシ１には、枠体６に左右開閉可能に嵌め込んだ網戸７の落下を防止する網戸落下防止装置Ａが装着されている。網戸落下防止装置Ａは、網戸７の上部に取着可能な落下防止片２１と枠体６の上枠２に取着可能な落下防止枠材２２を備え、落下防止片２１を網戸７の上框８に取着し、落下防止枠材２２を枠体６の上枠２に取着してある。
落下防止片２１には、枠見込方向幅の小さい首部２３とその首部２３の上部に枠見込方向幅の大きい係合部２４を設けてある。本実施形態の落下防止片２１は、金属板を折り曲げて構成してあり、上下方向の金属板の上端部を室内側の枠見込方向へ折り曲げた折曲部を係合部２４とし、上下方向の金属板の中間部を首部２３とし、金属板の下部を室外側の枠見込方向へ折り曲げた後、網戸７の上框８に沿って下方へ折り曲げた下端部分を取付部２５としてある。落下防止片２１は、金属板を折り曲げて構成してあるので、網戸落下防止装置Ａを装着する引違いサッシ１の上枠２や網戸７の大きさや形状に合わせて折り曲げることで簡易迅速に製造することができ、種々の大きさや形状の引違いサッシ１に容易に実施できるが、特定の引違いサッシ１用に落下防止片２１を型材で構成しても良い。落下防止片２１の取付部２５には、図３に示すように、左右２箇所に上下方向の長孔２５ａが設けられている。
【００１１】
本実施形態の落下防止枠材２２は、上枠２に沿った長尺部材によって構成され、例えば金属板を折り曲げた部材または長尺の型材などによって構成されている。落下防止枠材２２は、上枠２の室外側片１４と外障子案内片３３との間に上下方向に配置される垂下板部３４と、垂下板部３４の上端から上枠２の上壁３５下面に沿うように外障子案内片３３側へ向いている取付板部３６と、垂下板部３４の下端から上枠２の室外側片側へ向いている係止板部３７を備えている。落下防止枠材２２は、取付板部３６が上枠２の上壁３５に下側からねじ部材３８で螺合されることで上枠２に固着されている。落下防止枠材２２は、上枠２に対して別部材で構成し、上枠２にねじ部材３８で螺合しているので、建物に固定された既設の枠体６の上枠２に容易に取り付けることができる。なお、落下防止枠材２２は、新設のサッシの場合、上枠２と一体に成型して量産化を図るようにしても良く、その場合、取付板部３６が不要である。
【００１２】
落下防止枠材２２は、係止板部３７が上枠２の室外側片１４との間に、落下防止片２１の首部２３の枠見込方向幅より大きくて落下防止片２１の係合部２４の枠見込方向幅より小さい幅の移動間隙３１を形成している。また、落下防止枠材２２は、移動隙間３１の上方に、上枠２との間で落下防止片２１の係合部２４を収容可能な係合空間３２を形成している。落下防止枠材２２の網戸開閉方向の長さは、上枠２の網戸開閉方向の長さより短く形成され、落下防止枠材２２が上壁３５に取付けられた状態で、落下防止枠材２２の網戸開閉方向の一方側に、落下防止枠材２２が存在しない枠材欠如部によって、落下防止枠材２２の係合空間３２に落下防止片２１の係合部２４を着脱するための着脱口３９が設けられている。着脱口３９の網戸開閉方向の長さは、落下防止片２１の網戸開閉方向の長さより長く設定され、着脱口３９を通して落下防止片２１の係合部２４を落下防止枠材２２の係合空間３２に挿入離脱可能にしてある。
【００１３】
前記落下防止片２１は、枠体６内で左右開閉移動する網戸７の網戸移動領域Ｌにおいて着脱口３９と対向しない位置である、上框８の長手方向中央の１箇所に取着されている。即ち、落下防止片２１は、網戸７をどの位置に開閉移動させても、着脱口３９と対向しない上框８の位置に取着され、網戸７に取着した落下防止片２１の係合部２４が落下防止枠材２２の係合空間３２から決して外れないようにしてある。上框８の室内側上向片８ａの中央には、落下防止片２１を上下案内可能に嵌合させるための切欠き部４０が形成され、その切欠き部４０に落下防止片２１が嵌合され、落下防止片２１が上下方向へ真っ直ぐ案内されるようにしてある。落下防止片２１は、上框８への取着に先立ち、落下防止片２１の係合部２４を着脱口３９から落下防止枠材２２の係合空間３２に係合させた後、その係合部２４を係合空間３２内で長手方向へ移動させて網戸７の上框８の切欠部４０に嵌合させ、その状態で落下防止片２１の長孔２５ａ、上框８を貫通させた止めねじ４２のねじ部４３を後述するストッパ部材４４のねじ孔４４ａに螺合させることで上框８に上下動可能に取着されている。落下防止片２１の係合部２４には、落下防止枠材２２の係合空間３２内での移動をスムーズにするために例えば樹脂製の摺動部材４１が固着され、その摺動部材４１が係合空間３２内に摺動可能に嵌合されている。
【００１４】
落下防止片２１を上框８へ相対的に上下動可能に取着するために、網戸７の上框８にストッパ部材４４が装着されている。ストッパ部材４４は網戸７の上框８内に嵌挿固着され、そのストッパ部材４４に止めねじ４２のねじ部４３の先端を受け止めるストッパ部４４ｂが設けられている。ストッパ部４４ｂは、止めねじ４２のねじ部４３とねじ孔４４ａの螺合量を規制し、上框８の室内側面と止めねじ４２の頭部４５間に落下防止片２１の厚み４８より大きな間隙４９を形成し、網戸７を落下防止片２１に相対的に上下動できるようにしてある。ストッパ部材４４により止めねじ４２の捩じ込み量を規制するので、落下防止片２１を網戸７に止着するときに止めねじ４２を最後まで締め付けることで、網戸７の上部を確実に落下防止片２１に相対的に上下動可能に取着できる。なお、上框８の室内側面と止めねじ４２の頭部４５間に落下防止片２１の厚み４８より大きな間隙４９を形成するために、止めねじ４２のねじ部４３の元部にストッパ部を設けたり、止めねじ４２のねじ部４３の元部に座金を嵌合しても良い。
【００１５】
次に、上記構成の網戸落下防止装置Ａの作用について説明する。網戸７を枠体６に嵌め込み、落下防止片２１の係合部２４に設けた摺動部材４１を落下防止枠材２２に構成した着脱口３９に位置させ、摺動部材４１を落下防止枠材２２の係合空間３２に嵌合させて落下防止片２１の係合部２４を落下防止枠材２２の係合空間３２に係合させる。係合部２４を落下防止枠材２２の係合空間３２に嵌合させた落下防止片２１と、網戸７の上框８に設けられた切欠き部４０の位置を合致させ、落下防止片２１を切欠き部４０に嵌合させる。そして、落下防止片２１の一対の長孔２５ａ、上框８に貫通不能の頭部４５を有する一対の止めねじ４２のねじ部４３をそれぞれ貫通させ、ストッパ部材４４のねじ孔４４ａにそれぞれ螺合させ、ストッパ部４４ｂに当接するまで止めねじ４２を捩じ込む。これにより頭部４５と上框８とに間隔４９が形成され、網戸７と落下防止片２１とが相対的に上下動可能に止着される。網戸７の上框８を落下防止片２１に取着した状態では、室外側から落下防止片２１や落下防止枠材２２が室外側にも室内側にも露出することなく隠されているので、引違いサッシ１の外観が網戸落下防止装置Ａを備えないサッシと同じ外観に保持され、実用的な美観が保持されている。
【００１６】
網戸７に落下防止片２１を止着した状態で網戸７を左右開閉するとき、落下防止片２１も網戸７と一体となって左右開閉方向に移動する。この場合、落下防止片２１は、上框８の切欠き部４０に上下案内可能に嵌合されているので、姿勢が保持されたまま網戸７と一体となって移動され、摺動部材４１が落下防止枠材２２の係合空間３２内を開閉方向へスムーズに移動される。また、網戸７はレール１５の起伏や振動などで枠体６に対して上下動するが、網戸７が落下防止片２１に対して上下移動可能に設けられているので、網戸７が落下防止片２１を押し上げることなく落下防止片２１に対して上下動しながら開閉移動され、その結果、摺動部材４１の摺動抵抗が大きくなるのを防止できて網戸７をスムーズに開閉移動できる。また、網戸７を網戸移動領域Ｌの全範囲に亘って左右開閉移動させるとき、網戸７に取着した落下防止片２１の係合部２４が着脱口３９に対向することがないので、落下防止片２１の係合部２４は落下防止枠材２２の係合空間３２から離脱することなく落下防止枠材２２の係合空間３２に係合した状態が保持される。
【００１７】
網戸７に対して枠見込方向への人的、物理的外力が作用して網戸７に撓みが生じ、撓み量が大きくなると網戸７の上下方向の縮み代が大きくなり、その縮み代が網戸７のかかり代を超えると、図４に示すように網戸７の戸車７ｂがレール１５から外れたり網戸７の嵌合溝７ａが上枠２の室外側片１４から外れ、網戸７が枠体６から外れることが起こり得る。網戸７が枠体６から外れると網戸７が枠体６から落下することになるが、網戸７が落下防止片２１に取着され、その落下防止片２１の係合部２４が落下防止枠材２２の係合空間３２に係合した状態が保持されているので、網戸７は落下防止片２１によって吊り下げられた状態となって網戸７の落下が確実に防止される。落下防止片２１によって吊り下げ状態となって網戸７を再び枠体６に嵌め込む場合には、網戸７を持ち上げて落下防止片２１に対して上昇させ、網戸７の戸車７ｂをレール１５に嵌め込むことで簡易迅速に枠体６に嵌め込むことができる。網戸７の修理などで網戸７を枠体６から取り外したいときは、室内側から止めねじ４５を緩めて網戸７を落下防止片２１から取り外すことで、網戸７を枠体６から容易に取り外すことができる。
【００１８】
なお、本実施形態では、落下防止枠材２２の網戸開閉方向長さを上枠２の網戸開閉方向長さより短くして、落下防止枠材２２の端側に形成される枠材欠如部によって着脱口３９を構成しているが、上枠２の網戸開閉方向長さと同じ長さで設けた落下防止枠材２２の係止板部３７を、網戸７の上部に取着した落下防止片２１と網戸７の網戸移動領域Ｌで対向しない位置で切除することによって落下防止枠材２２に着脱口３９を設けるようにしても良い。また、本実施形態では、落下防止片２１の係合部２４に係合空間３２内で摺動する摺動部材４１を設けて落下防止片２１が上枠２に対して上下動しないようにし、その落下防止片２１に網戸７を相対的に上下動可能に取着して網戸７を上枠２に対して相対的に上下動可能に設けているが、落下防止片２１の係合部２４をコーティング等の他の手段によって係合空間３２内を円滑に摺動するように構成し、落下防止枠材２２の係合空間３２を上下に大きくし、落下防止片２１の係合部２４が落下防止枠材２２の係合空間３２内で上下動可能とし、落下防止片２１を網戸７に一体的に固着することで、網戸７を上枠２に対して相対的に上下動可能に設けても良い。また、本実施形態では、落下防止片２１と着脱口３９を夫々１箇所に設けているが、落下防止片２１のみを複数箇所に設けたり、両者を複数箇所に設けても良い。
【図面の簡単な説明】
【００１９】
【図１】本発明の網戸落下防止装置を備えた引違いサッシを示す図である。
【図２】図１のＩＩ−ＩＩ線断面図である。
【図３】落下防止片の取付状態を示す図である。
【図４】網戸が吊り下げられた状態を示す図である。
【符号の説明】
【００２０】
２      上枠
６      枠体
７      網戸
１４    室外側片
２１    落下防止片
２２    落下防止枠材
２３    首部
２４    係合部
２５ａ  長孔
３１    移動間隙
３２    係合空間
３３    外障子案内片
３４    垂下板部
３５    上壁
３６    取付板部
３７    係止板部
３９    着脱口
４２    止めねじ
４３    ねじ部
４４    ストッパ部材
４４ａ  ねじ孔
４５    頭部
４８    厚み
４９    間隔
Ａ      網戸落下防止装置
Ｌ      網戸移動領域
【図１】
0004919066.tif 000002
【図２】
0004919066.tif 000003
【図３】
0004919066.tif 000004
【図４】
0004919066.tif 000005